(57)【要約】      （修正有）【課題】簡易な構成で針のサイズ変更も容易にすることができ、本来動かないストレート系ワームやストレート系ラバー等でもアクションを付与することができる針付きシンカーを提供する。【解決手段】フック３を取り付けて使用する針付きシンカー１０であって、金属製のシンカー本体１１と、シンカー本体を貫通した開口部である本体貫通部１２と、本体貫通部内にフックを取り付けるための棒状部材であるフック取付部１３と、道糸１を結びつけるための糸取付部１４とを備える。【選択図】図３
0003206458.tif 000002
【実用新案登録請求の範囲】
【請求項１】
フックを取り付けて使用する針付きシンカーであって、
金属製のシンカー本体と、
シンカー本体を貫通した開口部である本体貫通部と、
前記本体貫通部内に前記フックを取り付けるための棒状部材であるフック取付部とを備える
ことを特徴とする針付きシンカー。
【請求項２】
前記シンカー本体は、
上方から下方に向かって厚みが増して、側面視で台形状となっている
ことを特徴とする請求項１記載の針付きシンカー。
【請求項３】
前記本体貫通部は、
シンカー本体にスリット状の切り込みをつけることで形成される
ことを特徴とする請求項１または２記載の針付きシンカー。
【請求項４】
さらに、道糸を結びつけるための糸取付部を備え、
結びつけられる道糸とフックの軸とが略同一線上に位置するよう糸取付部とフック取付部とが平行に設けられている
ことを特徴とする請求項１〜３のいずれか１項に記載の針付きシンカー。
【考案の詳細な説明】
【技術分野】
【０００１】
本考案は、ルアーフィッシングに用いられるジグヘッド等の、針付きおもりに関する。
【背景技術】
【０００２】
ルアーフィッシングにおいてジグヘッドにワームを装着することが行われている。ジグヘッドに装着されたワームは、ロッドの動き等によって対象魚を誘うアクション（動き）が与えられる。ジグヘッドそのものには、ワームの動きを増幅させる効果はなく、ストレート系のワームなど動かないワームについてはリールを巻くだけでは何もアクションしないという問題があった。そこで、ワーム等のルアーの動きを与えるようにジグヘッドそのものに何らかの工夫を施すことも考えられている。例えば、特許文献１では、ジグヘッド本体に邪魔板を設け、水中での抵抗により適度な浮力を発生させ、同時に、ジグヘッドの不要な回転（スピン）を押さえ、水平な安定した遊泳を可能とするルアー用のジグヘッドが開示されている。このほか、ジグヘッドの上部に金属板をセットした、チャターベイトと呼ばれる種類のルアーもある。チャターベイトによれば、リールを巻くだけでワームをアクションさせることも可能となる。
【先行技術文献】
【特許文献】
【０００３】
【特許文献１】特開２００１−２５８４２６号公報
【考案の概要】
【考案が解決しようとする課題】
【０００４】
しかしながら、チャターベイトは、構造が複雑でコストが掛かり、針のサイズを変更する際にはジグヘッドごと交換しなければならないという問題がある。
【０００５】
そこで、本考案は、このような問題に鑑みなされたものであり、簡易な構成で針のサイズ変更も容易にすることができ、本来動かないストレート系ワームやストレート系ラバー等でもアクションを付与することができる針付きシンカーを提供することを目的とする。
【課題を解決するための手段】
【０００６】
上記課題を解決するために、本考案に係る針付きシンカーは、フックを取り付けて使用する針付きシンカーであって、金属製のシンカー本体と、シンカー本体を貫通した開口部である本体貫通部と、前記本体貫通部内に前記フックを取り付けるための棒状部材であるフック取付部とを備えることを特徴とする。
【０００７】
これによれば、本体に貫通部を設けてフック取付部を形成する簡易な構造で、針のサイズの変更など針の交換が容易な針付きシンカーが実現される。このように構成された針付きシンカーは、ただ巻くだけでシンカー本体が揺れ動き、その動きがフック取付部に取り付けられたフックに伝わり、本来動かないストレート系ワームやストレート系ラバー等にアクションを付与することができる。このとき、フック取付部は本体貫通部内に設けられていることでシンカー本体の左右の動きをより安定的にフックへ伝達することができる。
【０００８】
ここで、前記シンカー本体は、上方から下方に向かって厚みが増して、側面視で台形状となっているのが好ましい。
【０００９】
これによれば、シンカー本体が低重心となるよう構成されているので、安定した飛距離が得られるシンカーとなる。
【００１０】
また、前記本体貫通部は、シンカー本体にスリット状の切り込みをつけることで形成されるのが好ましい。
【００１１】
これによれば、本体貫通部を簡易な構成で形成することができる。
【００１２】
さらに、道糸を結びつけるための糸取付部を備え、結びつけられる道糸とフックの軸とが略同一線上に位置するよう糸取付部とフック取付部とが平行に設けられているのが好ましい。
【００１３】
これによれば、シンカー本体の動きを効率的にフックへ伝達可能な針付きシンカーが実現される。
【考案の効果】
【００１４】
以上のように、本考案に係る針付きシンカーによれば、本体に貫通部を設けてフック取付部を形成するという簡易な構成で、針のサイズ変更など針交換を容易に行うことができるようになる。また、巻くだけでシンカー本体が左右に揺動し、その動きがフック取付部に取り付けられたフックへ伝わり、本来動かないストレート系ワームやストレート系ラバー等に蛇行するような安定したアクションを与えることができる。
【図面の簡単な説明】
【００１５】
【図１】針付きシンカーの正面図である。
【図２】針付きシンカーの側面図である。
【図３】針付きシンカーの動きを説明するための図である。
【図４】針付きシンカーの別の構成例を示す正面図である。
【図５】針付きシンカーの別の構成例を示す正面図である。
【考案を実施するための形態】
【００１６】
以下、本考案の実施形態について図面を参照しながら説明する。
【００１７】
図１は針付きシンカーの正面図であり、図２は針付きシンカーの側面図である。
【００１８】
本実施形態の針付きシンカー１０は、釣針（フック）を取り付けて使用するおもり（シンカー）であり、シンカー本体１１と、本体貫通部１２と、フック取付部１３と、糸取付部１４とを備えている。
【００１９】
シンカー本体１１は、鉛やタングステン、亜鉛、錫またはこれらの合金で構成され、平たい円盤状に形成されている。また、シンカー本体１１は上方から下方に向かって厚みが増して、側面視で台形状になっており、重心が低くなるようにされている。
【００２０】
本体貫通部１２は、シンカー本体１１を貫通して設けられた開口部である。本実施形態ではシンカー本体１１の頂上からスリット状の切り込みを縦方向につけることで本体貫通部１２が設けられた例を示している。この本体貫通部１２に横方向にフック取付部１３が設けられている。
【００２１】
フック取付部１３は、本体貫通部１２に設けられ、フックを直接またはスナップ等の針取付具を介して間接的に取り付けるための棒状の部材である。フック取付部１３は、本体貫通部１２が形成される方向と交差する方向（ここでは垂直に交わる横方向）に設けられ、シンカー本体１１からフック取付部１３が突出しないよう本体貫通部１２内に内包されている。
【００２２】
糸取付部１４は、道糸を結ぶための部材であり、シンカー本体１１の上端に設けられている。糸取付部１４は、結び付けられる道糸の延長線上に、フック取付部１３に取り付けられるフックの軸の中心線が位置するように、フック取付部１３と平行して設けるのが好ましい。道糸が引っ張られることにより、シンカー本体１１が揺動しフック取付部１３に取り付けられたフックに動きを与える効果が大きくなるからである。なお、図１ではフック取付部１３が直線の棒状で形成され、糸取付部１４は弧状に形成されており、厳密には平行に見えないが、同じ方向（横方向）へ形成され、道糸の延長線上にフックの軸の中心線が位置する関係であれば、ここでは平行して設けられているということにしている。
【００２３】
図３は、本実施形態の針付きシンカーの動きを説明するための図である。
【００２４】
針付きシンカー１０は、糸取付部１４に道糸１が結び付けられており、フック取付部１３にスナップ２を介してフック３が取り付けられている。フック３にはワーム４がセットされている。
【００２５】
図３において、道糸１が引っ張られると、針付きシンカー１０やこれに取り付けられたフック３、ワーム４は右へと順に遷移した動きを見せる。すなわち、リールを巻く等で道糸を引っ張るだけで、シンカー本体１１が左右に揺れる動きをつけることができ、この動きがフック取付部１３に取り付けられたスナップ２へと伝わり、さらにはフック３にセットされたワーム４にも伝わるので、本来動かないストレート系のワーム４に蛇行するような安定したアクションが付与される。このとき、フック取付部１３が本体貫通部１２に内包されるように設けられているので、スナップ２が本体貫通部１２の縁部と干渉する。この干渉により、スナップ２の動きが規制されて、シンカー本体１１の左右の動きがより安定的にフック３およびワーム４へと伝達されることになる。シンカー本体１１からフック取付部１３が突出して設けられている場合、スナップ２の動きが規制されないので、シンカー本体１１が左右のどちらかに揺れ動いたときに他方へ戻りにくくなり、ワーム４に蛇行するような安定したアクションを与えることが難しくなる。
【００２６】
なお、ここでは円盤状の針付きシンカー１０を例示したが、針付きシンカーの正面視の形状は正円でも楕円でもよいし、三角形や四角形などの形状であってもよい。
【００２７】
図４は、針付きシンカーの別の構成例を示す正面図であり、重心をさらに低くした正面視も台形状の針付きシンカー２０を例示している。
【００２８】
また、本体貫通部１２は、シンカー本体１１の頂上からスリット状の切り込みを入れることで形成された例を示したが、切り込みで形成する必要はない。
【００２９】
図５は、針付きシンカーの別の構成例を示す正面図であり、シンカー本体３１内にスリット状に貫通孔を設けて本体貫通部３２を形成した針付きシンカー３０を例示している。
【００３０】
このように構成された針付きシンカーによれば、シンカー本体を貫通する開口部を設け、その貫通部にフック取付部を形成しているので、ただ巻くだけでシンカー本体が揺動して、その動きがフック取付部に取り付けられたフックにも伝わり、本来動かないストレート系ワームやストレート系ラバー等にアクションを付与することができる。また、針付きシンカーの構造は、貫通部を設けてフック取付部を形成する簡易な構造であり、針のサイズの変更など針の交換も容易にできる。
【００３１】
このとき、フック取付部は本体貫通部に内包されるように設けられており、シンカー本体からフック取付部が突出して設けられていないので、シンカー本体の左右の動きをより安定的にフックへ伝達することができる。
【００３２】
また、同様に、道糸とフックの軸とが略同一線上に位置するよう糸取付部とフック取付部とを平行に設けることで、シンカー本体の動きをフックにより効率的に伝達することができる。
【００３３】
さらに、針付きシンカーは、重心が低くなるように構成されているので、シンカーとしての機能にも優れ、安定した飛距離を得ることもできる。
【００３４】
以上、本考案に係る針付きシンカーについて、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３５】
例えば、上記実施の形態では、本体貫通部を縦方向に形成する例を示したが、横方向に本体貫通部を形成し、フック取付部を縦方向に形成するとしてもよい。
【００３６】
また、本体貫通部の形状も円形などその他の形状としてもよい。
【産業上の利用可能性】
【００３７】
本考案は、ルアーフィッシングに用いられるジグヘッドやキャスティングラバー、太刀魚釣りに用いられるテンヤ等の針付きおもりとして有用である。
【符号の説明】
【００３８】
１  道糸
２  スナップ
３  フック
４  ワーム
１０，２０，３０  針付きシンカー
１１，２１，３１  シンカー本体
１２，２２，３２  本体貫通部
１３，２３，３３  フック取付部
１４，２４，３４  糸取付部
【図１】
0003206458.tif 000003
【図２】
0003206458.tif 000004
【図３】
0003206458.tif 000005
【図４】
0003206458.tif 000006
【図５】
0003206458.tif 000007